(57)【特許請求の範囲】
【請求項１】
吸込フィルタを保持する吸込グリルの複数箇所にそれぞれワイヤの片端を連結し、熱交換器、送風機等を内蔵するユニット本体もしくは前記ユニット本体下面の化粧パネルに設けられた複数のモータで前記ワイヤをそれぞれ巻き取ることにより、前記化粧パネルの吸込口に、前記吸込グリルを収納する空気調和機において、
下端部に前記ワイヤを通すガイド部を有し、前記ワイヤに沿って、前記吸込グリルの収納時の位置から、少なくとも前記化粧パネルの下面より低い位置まで上下方向に摺動移動し、かつ横方向には動きを規制されたスライドガイダを前記ユニット本体もしくは前記化粧パネルに備えたことを特徴とする空気調和機。
【請求項２】
吸込グリルの収納時に前記吸込グリルがスライドガイダまで到達したことを検知する複数のセンサと、前記センサの信号により複数のモータを個別に制御するモータ制御装置とを備えたことを特徴とする請求項１に記載の空気調和機。
【発明の詳細な説明】
【０００１】
【発明の属する技術分野】
本発明は吸込フィルタの清掃を容易にする昇降装置を備えた空気調和機に関するものである。
【０００２】
【従来の技術】
近年、空気調和機の吸込フィルタのメンテナンスにおいて、脚立などに上って高所で作業する危険および手間をなくすための方策がいくつか考案されている。
【０００３】
従来の空気調和機としては特開平６−１５９７１８号公報に示されているものがある。
【０００４】
以下、図面を参照しながら上記従来の空気調和機を説明する。
図９は、従来の空気調和機の縦断面図である。天井１内に埋設されたユニット本体２の内部に、熱交換器３、ドレンパン４、送風機５、ファンモータ６等が配置され、このユニット本体２にはその下部開口を覆う化粧パネル７が着脱自在に装着されている。化粧パネル７の中央部には吸込口８が形成され、この吸込口８の両側には吹出口９が形成されている。吸込口８には吸込グリル１０が嵌合され、その背後には吸込フィルタ１１が着脱自在に係止されている。
【０００５】
化粧パネル７の内壁に取り付けられたブラケット１２には、正逆回転可能なモータ１３ａ，１３ｂ，１３ｃ，１３ｄが４つ固定されており、吸込グリル１０の昇降装置を構成する。
【０００６】
図１０は、図９に示す従来の空気調和機の昇降装置部分の斜視図である。図１０において、１０は吸込グリル、１１は吸込フィルタである。吸込グリル１０の４つの角隅部にはそれぞれワイヤ１４の先端が連結され、これら複数のワイヤ１４はそれぞれワイヤガイダ１５を経て各別のスプロール１６に巻装されている。そして、これら各スプロール１６は各別のモータ１３ａ，１３ｂ，１３ｃ，１３ｄの出力軸１７に固着されている。
【０００７】
以上のように構成された昇降装置を備えた空気調和機について、以下その動作を説明する。
【０００８】
吸込フィルタ１１を洗浄する場合には、モータ１３ａ，１３ｂ，１３ｃ，１３ｄを逆回転させる。そして、スプロール１６からワイヤ１４が巻き戻されて吸込グリル１０がほぼ水平状態のまま所定の高さに降下したときモータ１３ａ，１３ｂ，１３ｃ，１３ｄを停止させる。この状態で床上の作業者が吸込グリル１０から吸込フィルタ１１を取り外してこれを洗浄する。
【０００９】
洗浄が終了すれば、吸込フィルタ１１を吸込グリル１０に再び取り付け、モータ１３ａ，１３ｂ，１３ｃ，１３ｄを正回転させることによりスプロール１６がワイヤ１４を巻き取る。そして、吸込グリル１０が上昇して化粧パネル７の下面に当接したとき、モータ１３ａ，１３ｂ，１３ｃ，１３ｄを停止させる。
【００１０】
【発明が解決しようとする課題】
しかしながら、上記従来の構成は、ワイヤガイダ１５が化粧パネル７よりユニット本体２の内側にあるため、モータ１３ａ，１３ｂ，１３ｃ，１３ｄを正回転させてスプロール１６がワイヤ１４を巻き取るとき、すなわち吸込グリル１０の収納時に、吸込グリル１０が揺れながら上昇してくると、化粧パネル７に吸込グリル１０が完全に収納されるまで揺れが止まらないため、図１１に示すように収納直前に化粧パネル７の下面に引っかかって完全に収納されない場合があるという欠点があった。また、吸込グリル１０を吊り下げるワイヤ１４の長さにばらつきが生じ、斜めの状態で上昇してきた場合を考慮して、何度も上下させる必要があるなどの欠点があった。
【００１１】
本発明は従来の課題を解決するもので、吸込グリルの上昇時の揺れを化粧パネルに収納するまでに完全に収め、また斜めに上昇してきた吸込グリルを水平に補正して、スムーズに収納する昇降装置を備えた空気調和機を提供することを目的とする。
【００１２】
【課題を解決するための手段】
この目的を達成するため本発明は、下端部にワイヤを通すガイド部を有し、ワイヤに沿って吸込グリルの収納時の位置から、少なくとも化粧パネルの下面より低い位置まで上下方向に摺動移動し、かつ横方向には動きを規制されたスライドガイダをユニット本体もしくは化粧パネルに備えたのである。
【００１３】
これにより、吸込グリルの上昇時の揺れを化粧パネルに収納するまでに完全に収めることができる。
【００１４】
また、さらに、吸込グリルの収納時に吸込グリルがスライドガイダまで到達したことを検知する複数のセンサと、センサの信号による複数のモータを個別に制御するモータ制御装置とを備えたのである。
【００１５】
これにより、斜めに上昇してきた吸込グリルを水平に補正して、スムーズに収納する昇降装置を備えた空気調和機を提供することができる。
【００１６】
【発明の実施の形態】
本発明の請求項１に記載の発明は、吸込フィルタを保持する吸込グリルの複数箇所にそれぞれワイヤの片端を連結し、熱交換器、送風機等を内蔵するユニット本体もしくは前記ユニット本体下面の化粧パネルに設けられた複数のモータで前記ワイヤをそれぞれ巻き取ることにより、前記化粧パネルの吸込口に、前記吸込グリルを収納する空気調和機において、下端部に前記ワイヤを通すガイド部を有し、前記ワイヤに沿って、前記吸込グリルの収納時の位置から、少なくとも前記化粧パネルの下面より低い位置まで上下方向に摺動移動し、かつ横方向には動きを規制されたスライドガイダを前記ユニット本体もしくは前記化粧パネルに備えたものである。
【００１７】
上記構成において、吸込グリルが上昇している時に揺れが発生した場合、下方に突き出たスライドガイダのガイド部を支点として揺れる。この揺れは、吸込グリルが上昇してスライドガイダに到達した時点で収まる。以降吸込グリルはそのまままっすぐスライドガイダとともに上昇して、化粧パネルの下面に引っかかることもなく完全に化粧パネルの吸込口に収納される。
【００１８】
よって、吸込グリルの上昇時の揺れを化粧パネルに収納するまでに完全に収め、スムーズに収納する昇降装置を備えた空気調和機を提供することができる。
【００１９】
請求項２に記載の発明は、請求項１に記載の発明に、さらに、吸込グリルの収納時に前記吸込グリルがスライドガイダまで到達したことを検知する複数のセンサと、前記センサの信号により複数のモータを個別に制御するモータ制御装置とを備えたものである。
【００２０】
上記構成において、モータ制御装置は、センサにより吸込グリルの一部がスライドガイダまで到達したことを検知すると、その検知したセンサに対応するモータを一旦停止する。そして、すべてのセンサが吸込グリルのスライドガイダへの到達を検知しすべてのモータが停止すると、すべてのモータを動作させ、ワイヤ巻き取りを再開させる。
【００２１】
そのため、吸込グリルが斜めの状態で上昇してきた場合に、先にスライドガイダに到達した箇所のワイヤの巻き取りを、吸込グリル全体がスライドガイダに到達するまで一時的に停止して、吸込グリルを水平に補正してスムーズに収納する昇降装置を備えた空気調和機を提供することができる。
【００２２】
【実施例】
以下、本発明による空気調和機の実施例について、図面を参照しながら説明する。なお、従来と同一構成については、同一符号を付して詳細な説明を省略する。
【００２３】
（実施例１）
図１は、本発明の実施例１による空気調和機の断面図であり、図２は、同実施例で使用するスライドガイダの斜視図である。
【００２４】
図１、図２において、３０は化粧パネル７の吸込口８の内側に上下方向に摺動移動可能に設けられたスライドガイダであり、下端部にワイヤ１４を通す穴を有するガイド部３１を、また、上端部に吸込グリル１０が下降した場合に吸込パネル７に掛りスライドガイダ３０がそれ以上下降しないように規制するフランジを有しており、ワイヤ１４に沿って、吸込グリル１０の収納時の位置から、少なくとも化粧パネル７の下面より低い位置まで上下方向に摺動移動し、かつ横方向には動きを規制されている。他の構成は、従来のものと同様である。
【００２５】
図３から図５は本発明の実施例１による空気調和機の昇降装置部分の断面図で、図３は吸込グリル１０が収納された状態、図４は吸込グリル１０がスライドガイダ３０まで下降または上昇した状態、図５は吸込グリル１０がスライドガイダ３０より下方にある状態を示す。
【００２６】
以上のように構成された空気調和機について、以下その動作を説明する。吸込グリル１０が化粧パネル７に収納されている時（図３）には、スライドガイダ３０は吸込グリル１０に持ち上げられた状態となっているが、吸込グリル１０の下降時には、フランジ３２が吸込パネル７の吸込口８に掛るまで（図４）共に下降し、後は吸込グリル１０だけが下降する（図５）。吸込グリル１０の上昇時には、下降時と逆に、スライドガイダ３０を持ち上げ、図３に示す状態に戻る。
【００２７】
吸込グリル１０がスライドガイダ３０より下方にある時に、ここで図５において波線で示すように、ワイヤ１４に揺れが発生した場合、スライドガイダ３０のガイド部３１を支点として揺れる。この揺れは、吸込グリル１０が上昇してスライドガイダ３０に到達した時点で収まる。
【００２８】
こうして吸込グリル１０の上昇時には、化粧パネル７より下方に突き出たスライドガイダ３０で揺れは収まり、以降そのまままっすぐ上昇して化粧パネル７の下面に引っかかることもなく完全に収納される。
【００２９】
（実施例２）
図６は、本発明の実施例２による空気調和機の昇降装置部分の断面図であり、図７は、同実施例による空気調和機のモータ制御系を示すブロック図である。
【００３０】
図４において、３３ａ，３３ｂ，３３ｃ，３３ｄは、スライドガイダ３０の４ヵ所のガイド部３１近傍にそれぞれ設けられたセンサで、吸込グリル１０の収納時に吸込グリル１０がスライドガイダ３０まで到達したことを検知する。３４はセンサ３３ａ，３３ｂ，３３ｃ，３３ｄの信号により４つのモータ１３ａ，１３ｂ，１３ｃ，１３ｄを個別に制御するモータ制御装置である。他の構成は、実施例１に示すものと同様である。
【００３１】
図８は、本発明の実施例２による空気調和機の吸込グリル上昇時の動作を示すフローチャートである。
【００３２】
以上のように構成された空気調和機について、以下、図８のフローチャートを参照してその動作を説明する。
【００３３】
モータ制御装置３４が吸込グリル１０を上昇させる信号を入力すると（ステップ１）、４つのモータ１３ａ，１３ｂ，１３ｃ，１３ｄを動作させワイヤ１４の巻き取りを開始する（ステップ２）。
【００３４】
センサ３３ａ，３３ｂ，３３ｃ，３３ｄにより吸込グリル１０の一部がスライドガイダ３０まで到達したことを検知すると（ステップ３）、その検知したセンサ３３ａ，３３ｂ，３３ｃ，３３ｄに対応するモータ１３ａ，１３ｂ，１３ｃ，１３ｄを一旦停止する（ステップ４）。
【００３５】
そして、すべてのセンサ３３ａ，３３ｂ，３３ｃ，３３ｄが吸込グリル１０のスライドガイダ３０への到達を検知しすべてのモータ１３ａ，１３ｂ，１３ｃ，１３ｄが停止すると（ステップ５）、すべてのモータ１３ａ，１３ｂ，１３ｃ，１３ｄを再び動作させ、ワイヤ巻き取りを再開させる（ステップ６）。
【００３６】
そのため、複数のワイヤ１４の伸縮量の相違などにより、スプロール１６の巻き取り長さにばらつきが生じたり、フィルタ１１脱着の作業時に荷重が掛って吸込グリル１０が斜めの状態で上昇してきた場合に、先にスライドガイダ３０に到達した箇所のワイヤ１４の巻き取りを、吸込グリル１０全体がスライドガイダ３０に到達するまで一時的に停止する。こうして吸込グリル１０はスライドガイダ３０に均等に当接して水平に補正され、以降そのまままっすぐ上昇して化粧パネル７の下面に引っかかることもなく完全に収納される。
【００３７】
【発明の効果】
以上説明したように請求項１に記載の発明は、下端部にワイヤを通すガイド部を有し、ワイヤに沿って、吸込グリルの収納時の位置から、少なくとも化粧パネルの下面より低い位置まで上下方向に摺動移動し、かつ横方向には動きを規制されたスライドガイダをユニット本体もしくは化粧パネルに備えたことにより、吸込グリルの上昇時の揺れを化粧パネルに収納するまでに完全に収め、スムーズに収納する昇降装置を備えた空気調和機を提供することができる。
【００３８】
また、請求項２に記載の発明は、請求項１に記載の発明に、さらに、吸込グリルの収納時に吸込グリルがスライドガイダまで到達したことを検知する複数のセンサと、センサの信号により複数のモータを個別に制御するモータ制御装置とを備えたことにより、吸込グリルが斜めの状態で上昇してきた場合に、先にスライドガイダに到達した箇所のワイヤのモータを、吸込グリル全体がスライドガイダに到達するまで一時的に停止して、吸込グリルを水平に補正してスムーズに収納する昇降装置を備えた空気調和機を提供することができる。
【図面の簡単な説明】
【図１】本発明による実施例１の空気調和機の断面図
【図２】同実施例で使用するスライドガイダの斜視図
【図３】同実施例における吸込グリルが収納された状態を示す要部断面図
【図４】同実施例における吸込グリルが下降している状態のスライドガイダの位置まで下降または上昇した状態を示す要部断面図
【図５】同実施例における吸込グリルが下降している状態のスライドガイダより下方にある状態を示す要部断面図
【図６】本発明による実施例２の空気調和機の断面図
【図７】同実施例による空気調和機のモータ制御系を示すブロック図
【図８】同実施例の空気調和機の吸込グリル上昇時の動作を示すフローチャート
【図９】従来の空気調和機の縦断面図
【図１０】従来の空気調和機の昇降装置の斜視図
【図１１】従来の空気調和機の昇降装置の断面図
【符号の説明】
２    ユニット本体
７    化粧パネル
１０  吸込グリル
１１  吸込フィルタ
１３ａ，１３ｂ，１３ｃ，１３ｄ  モータ
１４  ワイヤ
３０  スライドガイダ
３３ａ，３３ｂ，３３ｃ，３３ｄ  センサ
３４  モータ制御装置
【図１】
0003812027.tif 000002
【図２】
0003812027.tif 000003
【図３】
0003812027.tif 000004
【図４】
0003812027.tif 000005
【図５】
0003812027.tif 000006
【図６】
0003812027.tif 000007
【図７】
0003812027.tif 000008
【図８】
0003812027.tif 000009
【図９】
0003812027.tif 000010
【図１０】
0003812027.tif 000011
【図１１】
0003812027.tif 000012